(57)【要約】【課題】電源スイッチの誤操作により、電力源からの電力が装置に供給されることを防止する撮像装置を提供すること。【解決手段】電池２０と、電池２０からの電力供給を受ける制御部１０と、電池２０を収容する電池収容部の挿入口に設けられた電池蓋の開閉状態を検出し、開状態を検出した場合に、電池２０からの電力供給を停止する検出部１０２と、電池蓋の閉状態にて、検出部１０２に電池蓋の開状態を検出させる状態切替部１８とを備えたことを特徴とする撮像装置１を提供する。【選択図】図１
2010128295.tif 000002
【特許請求の範囲】
【請求項１】
電池と、
前記電池からの電力供給を受ける制御部と、
前記電池を収容する収容部の挿入口に設けられた蓋の開閉状態を検出し、開状態を検出した場合に、前記電池からの電力供給を停止する検出部と、
前記蓋の閉状態にて、前記検出部に前記蓋の開状態を検出させる状態切替部と、
を備えたことを特徴とする撮像装置。
【請求項２】
前記状態切替部は、
前記蓋に外部から操作可能に設けられ、第１の位置あるいは第２の位置に切り替えられ、
前記検出部は、
前記蓋が閉状態にて、前記状態切替部が前記第１の位置に存在する場合に、前記蓋の開状態を検出し、前記切替部が前記第２の位置に存在する場合に、前記蓋の閉状態を検出することを特徴とする請求項１に記載の撮像装置。
【請求項３】
前記状態切替部は、
外部端子が接続される接続部を有しており、
前記検出部は、
前記接続部に前記外部端子が接続されている場合に、前記蓋の開状態を検出し、前記接続部に前記外部端子が接続されていない場合に、前記蓋の閉状態を検出することを特徴とする請求項１に記載の撮像装置。
【発明の詳細な説明】
【技術分野】
【０００１】
本発明は、電力源として電池を備える撮像装置に関する。
【背景技術】
【０００２】
従来より、キー入力部による入力が制限される機能を備える携帯情報端末装置において、露出しているキー入力部により、この制限を解除する技術がある（特許文献１参照）。
【特許文献１】特開２００５−３４７９８６号公報
【発明の開示】
【発明が解決しようとする課題】
【０００３】
しかしながら、携帯情報端末装置は、ユーザのポケットやカバン等に入れられ持ち運びされることもあり、ポケットやカバン内での移動や振動によって、露出しているキー入力部や電源スイッチが誤操作され、装置が誤起動してしまう問題がある。
【０００４】
本発明は、このような事情を考慮し、上記の問題を解決すべくなされたものであって、その目的は、電源スイッチの誤操作により、電池からの電力が装置に供給されることを防止する撮像装置を提供することにある。
【課題を解決するための手段】
【０００５】
上記問題を解決するために、本発明は、電池と、前記電池からの電力供給を受ける制御部と、前記電池を収容する収容部の挿入口に設けられた蓋の開閉状態を検出し、開状態を検出した場合に、前記電池からの電力供給を停止する検出部と、前記蓋の閉状態にて、前記検出部に前記蓋の開状態を検出させる状態切替部と、を備えたことを特徴とする撮像装置である。
【発明の効果】
【０００６】
本発明によれば、電源スイッチの誤操作により、電池からの電力が装置に供給されることを防止することができる。
【発明を実施するための最良の形態】
【０００７】
［第１の実施形態］
以下、図面を参照して、本発明にかかる撮像装置の一実施形態について説明する。図１は、本発明の一実施の形態にかかる撮像装置１の構成を示すブロック図である。
図１に示す通り、撮像装置１は、制御部１０と、レンズ１１と、撮像素子１２と、ＡＦＥ／ＴＧ１３と、フラッシュメモリ１４と、ＤＲＡＭ１５と、表示部１６と、電源スイッチ１７と、状態切替部１８と、電源回路１９と、電池２０と、外部接続部（外部インターフェース）２１とを備える。
【０００８】
制御部１０は、電源回路１９を介して電池２０から電力供給を受けることにより、撮像装置１を起動させ（電源オン状態）、撮像装置１を統括的に制御し、電池２０からの電力供給が遮断されることにより、撮像装置１を停止させる（電源オフ状態）。制御部１０は、電池２０から制御部１０への電力供給を制御する起動管理ブロック１００を備える。
起動管理ブロック１００は、起動管理部１０１と、検出部１０２とを備える。検出部１０２は、後で詳細に説明するが、電池２０を収容する収容部の挿入口に設けられた電池蓋の開閉状態を検出し、検出結果に基づいて電池蓋の開閉状態を表す開状態信号あるいは閉状態信号を起動管理部１０１に出力する。起動管理部１０１は、検出部１０２によって開状態が検出され、検出部１０２から開状態信号が入力された場合、撮像装置１が電源オン（起動）状態であったとしても、あるいは電源スイッチ１７が操作され撮像装置１の起動が指示された場合でもあっても、電池２０から制御部１０への電力供給を停止する。すなわち、検出部１０２は、電池蓋が開状態を検出した場合、電池２０から制御部１０への電力供給を停止させるよう、起動管理部１０１を制御する。
【０００９】
レンズ１１は、入射する光を撮像素子１２の受光面に結像させる。撮像素子１２は、受光面に結像した画像情報を光電変換し、ＡＦＥ／ＴＧ（アナログ・フロント・エンド／タイミング・ジェネレーター）１３に出力する。ＡＦＥ／ＴＧ１３は、撮像素子１２を駆動するための所定のパルス信号を発信するとともに、撮像素子１２によって得られるアナログの画像信号をＡ/Ｄ変換（アナログ／デジタル変換）し、画像信号をデジタル信号にして、制御部１０に出力する。
フラッシュメモリ１４は、データの書き込み機能および消去機能の両方を備え、電池２０からの電力供給が停止され、撮像装置１が電源オフ状態になった場合でも、書き込まれたデータが消去されないメモリである。ＤＲＡＭ１５は、データを一時的に記憶し、撮像装置１が電源オフ状態になった場合は、書き込まれたデータが消去されるメモリである。フラッシュメモリ１４およびＤＲＡＭ１５には、ＡＦＥ／ＴＧ１３によってデジタル化された画像信号や、制御部１０における制御の設定値等が記憶されている。
表示部１６は、例えば液晶表示装置であって、撮像装置１の状態や操作指示等をユーザに通知するためのメッセージ、撮像した画像データ等を表示する。
【００１０】
電源スイッチ１７は、ユーザ等により操作されることによって、撮像装置１に電源オンの指示信号、あるいは電源オフの指示信号を、起動管理部１０１に出力する。本実施の形態において、電源スイッチ１７は、撮像装置１の上部側面に露出して設けられており、電源オフ状態において押下されることにより、電源オンの指示信号を出力し、電源オン状態において押下されることにより、電源オフの指示信号を出力する。
状態切替部１８は、電池蓋の開閉状態に応じて状態が切り替えられ、電池蓋の開閉状態を表す信号を検出部１０２に出力する。また、状態切替部１８は、電池蓋が閉状態において、検出部１０２に電池蓋が開状態であることを検出させる。詳細については、後で後述する。
電源回路１９は、電池２０と接続され、電池２０から供給される電力を調整し、制御部１０に供給する。
【００１１】
外部接続部２１は、外部装置と撮像装置１とを接続する接続部、例えば、有線ケーブルが接続される凹形状のコネクタであって、撮像装置１の側面に設けられている。外部接続部２１は、例えば、撮像装置１と他の装置とを接続するＵＳＢケーブルの接続部、あるいは、パーソナルコンピュータ等の情報処理装置と接続する撮像装置１固有のケーブルの接続部等である。
記録媒体２２は、撮像装置１に対して着脱自在に設けられ、制御部１０と接続される。制御部１０は、撮像装置１が電源オン状態のとき、接続されている記録媒体２２に、制御部１０によって撮像された画像情報の書込み、あるいは消去を実行する。
【００１２】
次に、図２〜７を用いて、電池２０を収容する電池収容部４１の周辺の構造を説明する。図２は、撮像装置１の底面部に設けられている電池収容部４１の周辺を示す概略図であり、図３は、図２に示す電池収容部４１を矢印４００の方向から見た概略を表す断面図である。なお、図２は、電池蓋４５を取り外した状態を示す。
【００１３】
図２、３に示す通り、底面収容部４０は、撮像装置１の底面部に設けられ、電池収容部４１と、記録媒体収容部４２と、開閉スイッチ４３と、電池蓋接続部４４と、電池蓋４５と、スライドスイッチ４６とを備える。
電池収容部４１は、電池２０を収容し、記録媒体収容部４２は、記録媒体２２を収容する。電池２０は、電池爪部４１ａにより支持され、電池蓋４５が開状態であっても、電池収容部４１から飛び出すことなく電池収容部４１に収容された状態で、電源回路１９を介して制御部１０と接続されている。
電池蓋４５は、電池蓋接続部４４を中心に回転し、撮像装置１の底面に開閉自在に設けられている。電池蓋４５は、閉状態、すなわち、電池蓋４５の外面４５ａと撮像装置１の外面１ａが同一平面となる状態において、底面収容部４０を覆う。よって、電池蓋４５を閉状態で電池２０が取り外されることはなく、検出部１０２が、電池収容部４１から電池２０が取り外される以前に、電池蓋４５の開状態を検出する構成となっている。
【００１４】
開閉スイッチ４３およびスライドスイッチ４６は、本実施の形態にかかる状態切替部１８の一例を構成し、電池蓋４５が閉状態において互いに対向するように位置されている。状態切替部１８は、スライドスイッチ４６の位置が変更されることによって、開閉スイッチ４３の状態が切替られる構成を有する。この開閉スイッチ４３およびスライドスイッチ４６の状態変化については、図４〜７を用いて、以下詳細に説明する。
図４は、電池蓋４５が開状態であって、検出部１０２が開状態を検出する場合の開閉スイッチ４３とスライドスイッチ４６との関係を示す概略図である。図５は、電池蓋４５が閉状態であって、検出部１０２が開状態を検出する場合の開閉スイッチ４３とスライドスイッチ４６との関係を示す概略図である。図６は、電池蓋４５が閉状態であって、検出部１０２閉状態を検出する際の開閉スイッチ４３とスライドスイッチ４６との関係を示す概略図である。また、図７は、図４に示す開閉スイッチ４３の拡大図である。
【００１５】
図４に示す通り、スライドスイッチ４６は、電池蓋４５の外面４５ａの面方向と平行な移動方向４５ｂに対して、スライドする構造を有し、ユーザ等によって撮像装置１の外部から操作可能に設けられている。本実施の形態において、スライドスイッチ４６は、撮像装置１の外側に設けられ、外部から操作可能な外部操作部４６ａと、撮像装置１の内側に設けられ、開閉スイッチ４３に外部操作部４６ａの位置の変更を伝達する内部伝達部４６ｂを備える。
スライドスイッチ４６は、図４に示す電池蓋開位置、図５に示す第１の位置、あるいは図６に示す第２の位置に位置されることで、開閉スイッチ４３の状態を変化させる。本実施の形態において、電池蓋開位置は、外部操作部４６ａがスライドスイッチ４６の一端に位置される位置であって、第１の位置は、外部操作部４６ａがスライドスイッチ４６の一端と他端との間、例えば中央に位置される位置であって、第２の位置は、外部操作部４６ａがスライドスイッチ４６の他端に位置される位置である。撮像装置１は、スライドスイッチ４６が電池蓋開位置に位置された場合、例えば、電池蓋４５を閉状態で支持する支持部が外される等によって、電池蓋４５を開状態とし、スライドスイッチ４６が第２の位置に位置された場合、この支持部が電池蓋４５を閉状態で支持する。
【００１６】
開閉スイッチ４３は、内部伝達部４６ｂを介してスライドスイッチ４６の位置が変更が伝達されることによって、このスライドスイッチ４６位置の変更に連動して状態が変化する。本実施の形態における開閉スイッチ４３は、図７に示す通り、開閉スイッチ本体４３ａと可動部４３ｂとを備え、可動部４３ｂは、回転中心軸４３ｃを中心として回転し、内部伝達部４６ｂから伝達されるスライドスイッチ４６の移動に伴い回転され、図７の実線で示す可動部４３ｂの位置、あるいは、破線で示す仮想位置４３ｄに位置される。
図４に示すようにスライドスイッチ４６が電池蓋開位置に位置されている場合（電池蓋４５が開状態に位置されている場合も含む）、開閉スイッチ４３の可動部４３ｂは、図７に実線で示す位置に位置され、図６に示すようにスライドスイッチ４６が第２の位置に位置されている場合、可動部４３ｂは、図７に示すような仮想位置４３ｄに位置される。
【００１７】
詳細に説明すると、スライドスイッチ４６が電池蓋開位置に位置されている場合、開閉スイッチ４３の可動部４３ｂは、図７の実線で示す通り、開閉スイッチ本体４３ａと対向する面との角度αが、角度θより大きくなる位置に位置されている。この状態で、開閉スイッチ本体４３ａは、検出部１０２に対して、電池蓋４５の開状態を表す開状態信号を出力する。これにより、検出部１０２は、電池蓋４５の開状態を検出し、起動管理部１０１に開状態信号を出力する。開状態信号が入力された起動管理部１０１は、電池２０から制御部１０への電力供給を停止する。
このように、開閉スイッチ４３の可動部４３ｂが、角度α＞角度θとなる状態を、以下、開状態信号出力状態と呼称する。
【００１８】
また、開閉スイッチ４３の可動部４３ｂが、図７に破線で示す仮想位置４３ｄに位置され、開閉スイッチ本体４３ａと対向する面との角度αが角度θ以下となる場合、開閉スイッチ本体４３ａは、検出部１０２に対して、電池蓋４５の閉状態を表す閉状態信号を出力する。これにより、検出部１０２は、電池蓋４５の閉状態を検出し、起動管理部１０１に閉状態信号を出力する。起動管理部１０１は、検出部１０２から閉状態信号が入力されると、制御部１０に電池２０からの電力を供給する。
このように、開閉スイッチ４３の可動部４３ｂが、角度α≦角度θとなる状態を、以下、閉状態信号出力状態と呼称する。
【００１９】
本実施の形態において、開閉スイッチ４３の可動部４３ｂは、バネ等の弾性部材が利用され、この弾性部材の戻る力によって、スライドスイッチ４６からの外力が加えられていない場合においては、角度α＞角度θ状態となる。すなわち、開閉スイッチ４３の可動部４３ｂは、スライドスイッチ４６によって開閉スイッチ本体４３ａ側に押下された場合、角度α≦角度θとなり、スライドスイッチ４６による圧力が弱められることによって、角度α＞角度θとなる通常時に戻る構成を有する。
【００２０】
また、状態切替部１８は、図５に示す通り、電池蓋４５の閉状態において、検出部１０２に電池蓋４５が開状態であることを検出させることができる。すなわち、スライドスイッチ４６が第１の位置に位置されている場合、開閉スイッチ４３の可動部４３ｂは、図７の実線で示す通り、開状態信号出力状態に位置され、開閉スイッチ本体４３ａが、検出部１０２に対して、電池蓋４５の開状態を表す開状態信号を出力する。これにより、検出部１０２は、電池蓋４５が閉状態にて、電池蓋４５の開状態を検出し、起動管理部１０１が、電池２０から制御部１０への電力供給を停止する。
【００２１】
次に、本実施の形態にかかる撮像装置１における電力供給制御方法の一例について説明する。
電池蓋４５が開状態において、制御部１０に供給される電池２０の電力を停止し、撮像装置１の起動を防止する電力停止制御機能の一例について説明する。
図４に示す通り、電池蓋４５が開けられる場合、第１の位置あるいは第２の位置に位置しているスライドスイッチ４６が、電池蓋開状態の位置にスライド移動される。これにより、スライドスイッチ４６からの圧力が弱められ、弾性部材の戻る力により、開閉スイッチ４３の可動部４３ｂが開状態信号出力状態となり、開閉スイッチ本体４３ａが検出部１０２に開状態信号を出力する。検出部１０２は、開閉スイッチ本体４３ａから開状態信号が入力され電池蓋４５の開状態を検出すると、起動管理部１０１に開状態信号を出力し、起動管理部１０１は、電池２０から制御部１０への電力供給を停止させる。これにより、撮像装置１は電源オフ状態となり、電池２０あるいは記録媒体２２は安全に取り外されることができる。
【００２２】
次に、電池蓋４５が閉状態において、電池２０の電力が制御部１０に供給されることで撮像装置１を起動させる電力供給制御方法の一例について説明する。
図５に示す通り、電池蓋４５が閉じられた場合、電池蓋開状態に位置しているスライドスイッチ４６が第２の位置にスライド移動される。これにより、スライドスイッチ４６が開閉スイッチ４３の可動部４３ｂを開閉スイッチ本体４３ａ側に押し込み、開閉スイッチ４３が閉状態信号出力状態となり、開閉スイッチ本体４３ａが検出部１０２に閉状態信号を出力する。検出部１０２は、開閉スイッチ本体４３ａから閉状態信号が入力されると電池蓋４５の閉状態を検出し、起動管理部１０１に閉状態信号を出力する。起動管理部１０１は、検出部１０２から閉状態信号が入力されると、制御部１０へ電池２０からの電力を供給させる。よって、この状態において、撮像装置１は、電源スイッチ１７が押下されると、電源がオン状態となり、撮像装置１が起動される。
【００２３】
次に、電池蓋４５が閉状態において、電源スイッチ１７が誤操作されて制御部１０に電源オンの指示信号が出力された場合に、撮像装置１の誤起動を防止する電力停止制御機能の一例について説明する。
図６に示す通り、電池蓋４５が閉じられた状態で、第２の位置に位置しているスライドスイッチ４６が、第１の位置にスライド移動されると、スライドスイッチ４６からの圧力が弱められ、弾性部材のもどる力により、開閉スイッチ４３の可動部４３ｂが開状態信号出力状態となる。これにより、開閉スイッチ本体４３ａが検出部１０２に開状態信号を出力する。検出部１０２は、開閉スイッチ本体４３ａから開状態信号が入力されると電池蓋４５の開状態を検出し、起動管理部１０１に開状態信号を出力する。起動管理部１０１は、検出部１０２から開状態信号が入力されると、電池２０から制御部１０への電力供給を停止させる。これにより、撮像装置１は電源オフ状態となり、電源スイッチ１７が誤操作された場合であっても、撮像装置１の誤起動を防止することができる。
【００２４】
上述の通り、本実施の形態にかかる撮像装置１は、検出部１０２を介して、電池蓋４５の開閉状態を検出することができるとともに、電池蓋４５が閉状態であっても電池蓋４５の開状態を検出することができる。このため、起動管理部１０１は、電池蓋４５の開閉状態に応じて電力供給を制御するための構成を利用して、スライドスイッチ４６が第１の位置に位置されている場合、電源スイッチ１７が誤操作により押下された場合であっても、電池２０から制御部１０への電力供給を停止することができる。よって、例えば、電子カメラ１が、ズボンのポケットやカバンの中に入れられたまま、電源スイッチ１７がご操作された場合であっても、スライドスイッチ４６が第１の位置に位置されている場合、撮像装置１の誤起動が防止され、電池が消耗してしまう事態や、誤ってレンズ１１が飛び出すことによってレンズ１１が破損する等の事態を防止することができる。
【００２５】
また、起動管理部１０１が電池蓋４５の開閉状態に応じて電力供給を制御するための構成を既に備えている撮像装置１においては、新たな構成を設けることなく、既存の構成を有効に利用することができる。これにより、本発明にかかる誤起動防止構造を安価で簡単に実現することが可能である。
さらに、本実施の形態にかかる状態切替部１８を構成するスライドスイッチ４６は、撮像装置１の面方向にスライド移動させることで、本発明にかかる誤起動防止機能を実現することができる。このスライド構造は、ボタンスイッチの押下操作に比べて、ズボンのポケットやバック等の振動により誤操作されにくい。また、例えば特定のボタンを一定時間押すことで起動を許可する技術に比べて起動時間を短縮することができる。
さらにまた、本発明にかかる撮像装置１は、スライドスイッチ４６の外部操作部４６ａの位置が第１の位置に位置されていることを視覚的に表わしているため、撮像装置１に誤起動防止機能が適用されているか否かを、容易にユーザに通知することができる。これにより、表示部１６の液晶表示装置を起動させ、誤起動防止機能が適用されている旨を通知する必要もない。
【００２６】
［第２の実施形態］
また、本発明にかかる撮像装置は、他の実施形態にかかる状態切替部１８’として、以下、図８、９を用いて説明する他の例も利用するとことができる。
図８、９に示す通り、状態切替部１８’は、凹形状のコネクタである外部接続部２１と、この外部接続部２１の端子の電極面をカバーする外部端子５１によって構成される。
図８に示す通り、外部接続部２１は、検出部１０２と接続されている第１の端子２１ａと、グランドＧＮＤと接続されている第２の端子２１ｂとを備える。第１の端子２１ａおよび第２の端子２１ｂの電極面は、凹形状の底面部に相当する面に露出している。
外部端子５１は、外部端子本体５１ａが外部接続部２１に挿入された状態で、第１の端子２１ａおよび第２の端子２１ｂの電極面と対向する位置に設けられた第３の端子５１ｂを備える。
【００２７】
この構成により、図９に示す通り、第１の端子２１ａおよび第２の端子２１ｂの電極面が、第３の端子５１ｂと対向する方向で、外部端子本体５１ａが外部接続部２１に挿入された場合、第１の端子２１ａは第３の端子５１ｂを介して、第２の端子２１ｂと接続される。これにより、検出部１０２と接続される第１の端子２１ａ側の電極線は、グランドＧＮＤと接続され、検出部１０２は、第１の端子２１ａから電圧０Ｖを示す信号を検出する。
検出部１０２は、第１の端子２１ａから電圧０Ｖを示す信号を検出することで、電池蓋４５の開状態を検出したと同じ開状態信号を起動管理部１０１に出力する。これにより、起動管理部１０１は、電池蓋４５が閉状態にて、電池２０から制御部１０への電力供給を停止させることができる。
【００２８】
また、上述の第２の実施形態にかかる状態切替部１８’は、検出部１０２が起動管理部１０１に開状態信号を出力する構成に限られず、例えば、第１の端子２１ａが第２の端子２１ｂに接続されることによって、電池２０から制御部１０への電気回路が切断されることにより、電池２０から制御部１０への電力供給を物理的に切断する構成であってもよい。
また、本願発明にかかる接続部（外部接続部２１）は、コネクタに限られず、例えば、フラッシュを発光する発光部が接続される接続部や、その他電気的に検出部１０２と接続される接続部であればよい。
【図面の簡単な説明】
【００２９】
【図１】本発明の一実施形態にかかる撮像装置の構成を示すブロック図である。
【図２】本発明の一実施形態にかかる撮像装置の電池収容部周辺を示す概略図である。
【図３】図２に示した電池収容部の周辺の概略的な断面図である。
【図４】本発明の一実施形態にかかる撮像装置の状態切替部の状態変更を説明するための概略図である。
【図５】本発明の一実施形態にかかる撮像装置の状態切替部の状態変更を説明するための概略図である。
【図６】本発明の一実施形態にかかる撮像装置の状態切替部の状態変更を説明するための概略図である。
【図７】図４，５に示した開閉スイッチの可動部の一例を示す拡大図である。
【図８】本発明の他の一実施形態にかかる撮像装置の状態切替部の状態変更を説明するための概略図である。
【図９】本発明の他の一実施形態にかかる撮像装置の状態切替部の状態変更を説明するための概略図である。
【符号の説明】
【００３０】
１  撮像装置、  １０  制御部、  １８  状態切替部、  ２０  電池、  ２１  外部接続部（接続部）、  ４１  電池収容部、  ４３  開閉スイッチ、  ４５  電池蓋、  ４６  スライドスイッチ、  １０２  検出部
【図１】
2010128295.tif 000003
【図２】
2010128295.tif 000004
【図３】
2010128295.tif 000005
【図４】
2010128295.tif 000006
【図５】
2010128295.tif 000007
【図６】
2010128295.tif 000008
【図７】
2010128295.tif 000009
【図８】
2010128295.tif 000010
【図９】
2010128295.tif 000011